(57)【要約】【課題】構造及び駆動が簡単であり、同じ時間に多点タッチ操作可能なタッチパネルに用いる識別方法を提供する。【解決手段】多点タッチの識別方法は、抵抗異方性を有し、且つ１つの側辺に複数の第一検出電極が間隔を有するように設置されている第一導電層と、第一導電層に積層設置される第二導電層と、を備えるタッチパネルに適用され、第一導電層に第一電圧を提供する段階と、第二導電層に第一電圧より大きい第二電圧を提供する段階と、少なくとも２つの点がタッチされて第二導電層が第一導電層に接触した時、順番に各々の第一検出電極の電圧を検出して、第一Ｘ軸相対高電圧、第二Ｘ軸相対高電圧、及び両電圧の間に位置するＸ軸相対低電圧を獲得する段階と、第一Ｘ軸相対高電圧の対応する位置を第一Ｘ軸タッチ点としてＸ軸座標を出力する段階と、第二Ｘ軸相対高電圧の対応する位置を第二Ｘ軸タッチ点としてＸ軸座標を出力する段階と、を備える。【選択図】図１
2011018335.tif 000002
【特許請求の範囲】
【請求項１】
抵抗異方性を有し、且つ１つの側辺に複数の第一検出電極が間隔を有するように設置されている第一導電層と、前記第一導電層に積層設置される第二導電層と、を備えるタッチパネルに適用される多点タッチの識別方法は、
前記第一導電層に第一電圧を提供するステップと、
前記第二導電層に前記第一電圧より大きい第二電圧を提供するステップと、
前記タッチパネルにおいて、少なくとも２つの点がタッチされて前記第二導電層が前記第一導電層に接触した時、順番に各々の前記第一検出電極の電圧を検出して、第一Ｘ軸相対高電圧、第二Ｘ軸相対高電圧、及び前記第一Ｘ軸相対高電圧と第二Ｘ軸相対高電圧との間に位置するＸ軸相対低電圧を獲得するステップと、
前記第一Ｘ軸相対高電圧の対応する位置を第一Ｘ軸タッチ点として、第一タッチ点のＸ軸座標を出力するステップと
前記第二Ｘ軸相対高電圧の対応する位置を第二Ｘ軸タッチ点として、第二タッチ点のＸ軸座標を出力するステップと、
を備えることを特徴とするタッチパネルに用いられる多点タッチの識別方法。
【請求項２】
各々の前記第一検出電極の電圧信号を順番に検出する時、検出を進行しない第一検出電極に前記第一電圧を提供することを特徴とする請求項１にタッチパネルに用いられる多点タッチの識別方法。
【請求項３】
第ｎ番目の第一検出電極を検出して、第一Ｘ軸相対高電圧を獲得する時、第一タッチ点のＸ軸座標は、下記の式１を満足させることを特徴とする請求項１にタッチパネルに用いられる多点タッチの識別方法。
【数１】
2011018335.tif 000009
（ここで、ｎ≧２であり、Ｖｎ−１は、第ｎ−１番目の第一検出電極の検出した電圧であり、Ｖｎ＋１は、第ｎ＋１番目の第一検出電極の検出した電圧であり、Ｘｎは、第ｎ番目の第一検出電極の対応するＸ軸座標であり、ＰＸは、互いに隣り合う２つの第一検出電極の間の距離であり、Ｘ１は、第一タッチ点のＸ軸座標であり、Ｖｎは、第一Ｘ軸相対高電圧である）
【請求項４】
第ｍ番目の第一検出電極を検出して、第二Ｘ軸相対高電圧Ｖｍを獲得する時、第二タッチ点のＸ軸座標Ｘ２は、下記の式２を満足させることを特徴とする請求項３にタッチパネルに用いられる多点タッチの識別方法。
【数２】
2011018335.tif 000010
（ここで、ｍ≧ｎ＋３であり、Ｖｍ−１は、第ｍ−１番目の第一検出電極の検出した電圧であり、Ｖｍ＋１は、第ｍ＋１番目の第一検出電極の検出した電圧であり、Ｘｍは、第ｍ番目の第一検出電極の対応するＸ軸座標である）
【請求項５】
ｍ＝ｎ＋２である時、前記式１におけるＶｎ＋１及び前記式２におけるＶｍ−１は、それぞれＶｎ＋１’及びＶｍ−１’によって置き換えられて、下記の式を満足させることを特徴とする請求項４にタッチパネルに用いられる多点タッチの識別方法。
【数３】
2011018335.tif 000011
（ここで、Ｖ１は、第一電圧である）
【請求項６】
前記タッチパネルの第二導電層の表面の側縁に複数の第二検出電極が間隔を有するように設置され、前記第二検出電極が設置される側縁と前記第一検出電極が設置される側縁とは直交し、前記第二導電層は、抵抗異方向性を有し、前記第二導電層の低抵抗方向と前記第一導電層の低抵抗方向とは直交することを特徴とする請求項１にタッチパネルに用いられる多点タッチの識別方法。
【請求項７】
前記多点タッチの識別方法は、前記タッチパネルにおいて、少なくとも２つの点がタッチされて前記第二導電層が前記第一導電層に接触する時、順番に各々の前記第二検出電極の電圧を検出して、第一Ｙ軸相対低電圧、第二Ｙ軸相対低電圧、及び前記第一Ｙ軸相対低電圧と第二Ｙ軸相対低電圧との間に位置するＹ軸相対高電圧を獲得するステップと、
前記第一Ｙ軸相対低電圧の対応する位置を第一Ｙ軸タッチ点として、第一タッチ点のＹ軸座標を出力するステップと
前記第二Ｙ軸相対低電圧の対応する位置を第二Ｙ軸タッチ点として、第二タッチ点のＹ軸座標を出力するステップと、
をさらに備えることを特徴とする請求項６にタッチパネルに用いられる多点タッチの識別方法。
【請求項８】
各々の前記第二検出電極の電圧信号を順番に検出する時、検出を進行しない第二検出電極に第二電圧を提供することを特徴とする請求項７にタッチパネルに用いられる多点タッチの識別方法。
【請求項９】
第ｓ番目の第二検出電極を検出して、第一Ｙ軸相対低電圧Ｖｓを獲得する時、第一タッチ点のＹ軸座標Ｙ１は、下記の式３を満足させることを特徴とする請求項７にタッチパネルに用いられる多点タッチの識別方法。
【数４】
2011018335.tif 000012
（ここで、ｓ≧２であり、Ｖｓ−１は、第ｓ−１番目の第二検出電極の検出した相対低電圧であり、Ｖｓ＋１は、第ｓ＋１番目の第二検出電極の検出した電圧であり、Ｙｓは、第ｓ番目の第二検出電極の対応するＹ軸座標であり、Ｐｙは、互いに隣り合う２つの第二検出電極の間の距離である）
【請求項１０】
第ｔ番目の第二検出電極を検出して、第二Ｙ軸相対低電圧Ｖｔを獲得する時、第二タッチ点のＹ軸座標Ｙ２は、下記の式４を満足させることを特徴とする請求項９にタッチパネルに用いられる多点タッチの識別方法。
【数５】
2011018335.tif 000013
（ここで、ｔ≧ｓ＋３であり、Ｖｔ−１は、第ｔ−１番目の第二検出電極の検出した相対低電圧であり、Ｖｔ＋１は、第ｔ＋１番目の第二検出電極の検出した電圧であり、Ｙｔは、第ｔ番目の第二検出電極の対応するＹ軸座標である）
【請求項１１】
ｔ＝ｓ＋２である時、前記式３におけるＶｓ＋１及び前記式４におけるＶｔ−１は、それぞれＶｓ＋１’及びＶｔ−１’によって置き換えられて、下記の式を満足させることを特徴とする請求項１０にタッチパネルに用いられる多点タッチの識別方法。
【数６】
2011018335.tif 000014
（ここで、Ｖ２は第二電圧である）
【請求項１２】
前記第一導電層及び第二導電層は、平行に配列されたカーボンナンチューブからなる導電性フィルムであることを特徴とする請求項６にタッチパネルに用いられる多点タッチの識別方法。
【請求項１３】
抵抗異方性を有し、且つ１つの側辺に複数の第一検出電極が間隔を有するように設置されている第一導電層と、前記第一導電層に積層設置される第二導電層と、を備えるタッチパネルに用いられる多点タッチの識別方法は、
前記第一導電層に第一電圧を提供するステップと、
前記第二導電層に第一電圧より小さい第二電圧を提供するステップと、
前記タッチパネルにおいて、少なくとも２つの点がタッチされて前記第二導電層が前記第一導電層に接触する時、順番に各々の前記第一検出電極の電圧を検出して、第一相対低電圧、第二相対低電圧、及び前記第一相対低電圧と第二相対低電圧との間に位置される相対高電圧を獲得するステップと、
前記第一相対低電圧の対応する位置を第一タッチ点として、第一タッチ点の座標を出力するステップと
前記第二相対低電圧の対応する位置を第二タッチ点として、第二タッチ点の座標を出力するステップと、
を備えることを特徴とするタッチパネルに用いられる多点タッチの識別方法。
【請求項１４】
第ｓ番目の第一検出電極を検出して、第一相対低電圧を獲得する時、第一タッチ点の座標は、下記の式５を満足させることを特徴とする請求項１３にタッチパネルに用いられる多点タッチの識別方法。
【数７】
2011018335.tif 000015
（ここで、ｓ≧２あり、Ｖｓ−１は、第ｓ−１番目の第一検出電極の検出した電圧であり、Ｖｓ＋１は、第ｓ＋１番目の第一検出電極の検出した電圧であり、Ｙｓは、第ｓ番目の第一検出電極の対応するＹ軸座標であり、Ｐｙは、互いに隣り合う２つの第一検出電極の間の距離である）
【請求項１５】
第ｔ番目の第一検出電極を検出して、第二Ｙ軸相対低電圧Ｖｔを獲得する時、第二タッチ点のＹ軸座標Ｙ２は、下記の式６を満足させることを特徴とする請求項１４にタッチパネルに用いられる多点タッチの識別方法。
【数８】
2011018335.tif 000016
（ここで、ｔ≧ｓ＋３であり、Ｖｔ−１は、第ｔ−１番目の第一検出電極の検出した電圧であり、Ｖｔ＋１は、第ｔ＋１番目の第一検出電極の検出した電圧であり、Ｙｔは、第ｔ番目の第一検出電極の対応するＹ軸座標である）
【請求項１６】
ｔ＝ｓ＋２である時、前記式５におけるＶｓ＋１及び前記式６におけるＶｔ−１は、それぞれＶｓ＋１’及びＶｔ−１’によって置き換えられて、下記の式を満足させることを特徴とする請求項１５にタッチパネルに用いられる多点タッチの識別方法。
【数９】
2011018335.tif 000017
（ここで、Ｖ２は第二電圧である）
【発明の詳細な説明】
【技術分野】
【０００１】
本発明は、タッチパネルに用いられる識別方法に関し、特にタッチパネルに用いられる多点タッチの識別方法に関するものである。
【背景技術】
【０００２】
従来のタッチパネルは、抵抗型、コンデンサー型、赤外線型及び表面波型を含む。例えば、４線或いは５線式の抵抗型タッチパネルは、シミュレーション方式で導電性フィルムの電圧変化を測定するため、使用過程において、同じ時間に１つのタッチ動作だけを識別し、ユーザが同じ時間に複数のタッチ動作を行う場合、エラー（Ｅｒｒｏｒ）が発生し易い。
【０００３】
特許文献１及び２には、それぞれ多点タッチ動作を識別するコンデンサー型のタッチパネルが開示されている。前記コンデンサー型のタッチパネルは、２つの透明ガラス基板と、前記２つの透明ガラス基板の互いに向き合う表面にそれぞれ設置されている２つの透明導電層と、を備える。製品の異なる解像度によって、前記２つの導電層に対してそれぞれ伝統的なリソグラフィー（Ｌｉｔｈｏｇｒａｐｈｙ）処理を実施して、前記２つの導電層に互いに平行し且つ一定の間隔を有する複数の導線を形成する。前記２つの導電層に形成されている導線は互いに直交する。タッチパネルに対して操作を進行する時、各々の導線をスキャン（Ｓｃａｎ）して各々の導線の静電容量の変化を分析することにより、接触点の座標を決定する。
【０００４】
しかし、前記コンデンサー型のタッチパネルにおいては、伝統的なリソグラフィー処理を必要とするため、製品を製造し難く、良品率が低く、さらに駆動方法も複雑である。従って、従来のコンデンサー型のタッチパネルは、多点タッチを識別できるが、製造コストが高く、応用範囲が制限される。
【先行技術文献】
【特許文献】
【０００５】
【特許文献１】米国特許出願公開２００６／００９７９９１号明細書
【特許文献２】米国特許出願公開２００８／０１５８１８１号明細書
【特許文献３】台湾特許出願公開２００９２０６８９号明細書
【発明の概要】
【発明が解決しようとする課題】
【０００６】
前記課題を解決するために、本発明は、構造と駆動が簡単であり且つ同時に多点タッチの操作を行うことができるタッチパネルに用いる識別方法を提供する。
【課題を解決するための手段】
【０００７】
本発明に係る多点タッチの識別方法は、抵抗異方性を有し、且つ１つの側辺に複数の第一検出電極が間隔を有するように設置されている第一導電層と、前記第一導電層に積層設置される第二導電層と、を備えるタッチパネルに適用され、前記第一導電層に第一電圧を提供するステップと、前記第二導電層に前記第一電圧より大きい第二電圧を提供するステップと、前記タッチパネルにおいて、少なくとも２つの点がタッチされて前記第二導電層が前記第一導電層に接触した時、順番に各々の前記第一検出電極の電圧を検出して、第一Ｘ軸相対高電圧、第二Ｘ軸相対高電圧、及び前記第一Ｘ軸相対高電圧と第二Ｘ軸相対高電圧との間に位置するＸ軸相対低電圧を獲得するステップと、前記第一Ｘ軸相対高電圧の対応する位置を第一Ｘ軸タッチ点として、第一タッチ点のＸ軸座標を出力するステップと前記第二Ｘ軸相対高電圧の対応する位置を第二Ｘ軸タッチ点として、第二タッチ点のＸ軸座標を出力するステップと、を備える。
【０００８】
本発明に係る多点タッチの識別方法は、抵抗異方性を有し、且つ１つの側辺に複数の第一検出電極が間隔を有するように設置されている第一導電層と、前記第一導電層に積層設置される第二導電層と、を備えるタッチパネルに用いられ、前記第一導電層に第一電圧を提供するステップと、前記第二導電層に第一電圧より小さい第二電圧を提供するステップと、前記タッチパネルにおいて、少なくとも２つの点がタッチされて前記第二導電層が前記第一導電層に接触する時、順番に各々の前記第一検出電極の電圧を検出して、第一相対低電圧、第二相対低電圧、及び前記第一相対低電圧と第二相対低電圧との間に位置する相対高電圧を獲得するステップと、前記第一相対低電圧の対応する位置を第一タッチ点として、第一タッチ点の座標を出力するステップと前記第二相対低電圧の対応する位置を第二タッチ点として、第二タッチ点の座標を出力するステップと、を備える。
【発明の効果】
【０００９】
従来の技術と比べると、本発明に係るタッチパネルに用いられる多点タッチの識別方法は、構造及び駆動が簡単であり、低コストの抵抗式タッチパネルを提供し、前記タッチパネルは、簡単な計算を通じて複数のタッチ点の判別及び各種手姿勢で複数点のタッチ操作を行うことができて、タッチパネルの応用範囲を大幅拡大することができる。
【図面の簡単な説明】
【００１０】
【図１】本発明に係る抵抗型のタッチパネルの分解図である。
【図２】本発明に係るタッチパネルの多点タッチの識別方法における２個点のタッチを行った時、Ｘ軸側の検出電極が測定した電圧分布を示す図である。
【図３】本発明に係るタッチパネルの多点タッチの識別方法におけるタッチされた２個点がＸ軸方向で非常に近い時、Ｘ軸側の検出電極が測定した電圧分布を示す図である。
【図４】本発明に係るタッチパネルの多点タッチの識別方法における２個点のタッチを行った時、Ｙ軸側の検出電極が測定した電圧分布を示す図である。
【図５】本発明に係るタッチパネルの多点タッチの識別方法におけるタッチされた２個点がＹ軸方向で非常に近い時、Ｙ軸側の検出電極が測定した電圧分布を示す図である。
【図６】本発明に係るタッチパネルの多点タッチの識別方法で異なる操作の手姿勢を識別することを示す図である。
【図７】本発明に係るタッチパネルの多点タッチの識別方法で異なる操作の手姿勢を識別することを示す図である。
【図８】本発明に係るタッチパネルの多点タッチの識別方法で異なる操作の手姿勢を識別することを示す図である。
【発明を実施するための形態】
【００１１】
以下、図面を参照して、本発明の実施形態について説明する。
【００１２】
図１は、本発明に係る抵抗型のタッチパネルの分解図である。簡単に説明するため、ただ５つの第一検出電極１１４及び５つの第二検出電極１２４だけを図示した。しかし、実際の応用において、前記第一検出電極１１４及び前記第二検出電極１２４の個数は、タッチパネルの面積及び応用分野により確定される。
【００１３】
図１を参照すると、前記タッチパネル１００は、第一導電性フィルム１１０と、前記第一導電性フィルム１１０に積層設置される第二導電性フィルム１２０と、前記第一導電性フィルム１１０と前記第二導電性フィルム１２０を固着させるリング形接着層１３０と、を備える。前記第一導電性フィルム１１０と前記第二導電性フィルム１２０との間には複数の絶縁素子１３２が均一に分布される。前記絶縁素子１３２は、前記第一導電性フィルム１１０と前記第二導電性フィルム１２０とが互いに一定の間隔を維持するようにする。
【００１４】
前記第一導電性フィルム１１０は、第一基板１１１と、前記第一基板１１１の表面に設置される第一接着層１１２と、前記第一接着層１１２により前記第一基板１１１に固着される第一導電層１１３と、を備える。前記第一導電層１１３の表面には、複数の第一検出電極１１４、第一電極２１５及び第一接続リード１１６が設置されている。前記複数の第一検出電極１１４は、前記第一導電層１１３の１つの端部に等間隔に設置され、且つ前記第一導電層１１３に電気的に接続される。前記第一電極１１５は、前記第一導電層１１３の他の端部に、前記端部と平行するように設置され、且つ前記第一導電層１１３に電気的に接続される。前記第一接続リード１１６は、前記第一電極１１５に接続され、且つ１つの側縁に沿って前記第一検出電極１１４が設置されている端部の中央まで延在されて、信号の伝達に用いられる。
【００１５】
前記第二導電性フィルム１２０は、第二基板１２１と、前記第二基板１２１の表面に設置される第二接着層１２２と、前記第二接着層１２２により前記第二基板１２１に固着される第二導電層１２３と、を備える。前記第二導電層１２３の表面には、複数の第二検出電極１２４、第二電極１２６及び第二接続リード１２５が設置されている。前記複数の第二検出電極１２４は、前記第二導電層１２３の１つの側縁（長手方向に平行する側縁）に等間隔に設置され、且つ前記第二導電層１２３に電気的に接続される。前記第二電極１２６は、前記第二導電層１２３の他の側縁に沿って設置され、且つ前記第二導電層１２３に電気的に接続される。前記第二接続リード１２５は、前記第二電極１２６に接続され、且つ前記第一検出電極１１４が設置されている端部と対応する前記第二導電層１２３の端部の中央まで延在されて、信号の伝達に用いられる。前記第一検出電極１１４が設置されている第一導電層１１３の１つの端部と前記第二検出電極１２４が設置されている第二導電層１２３の１つの側縁とは、直交する。
【００１６】
前記タッチパネル１００は、複数の金属接点１４１を持つフレキシブルプリント回路板１４０をさらに備える。前記リング形接着層１３０の端部の中央には欠口部１３１が開設されている。前記タッチパネルを組み立てる時、前記フレキシブルプリント回路板１４０を前記欠口部１３１に位置させ、前記フレキシブルプリント回路板１４０の複数の金属接点１４１を前記第一導電性フィルム１１０における第一接続リード１１６及び第一検出電極１１４の末端と、前記第二導電性フィルム２２０における第二接続リード１２５及び第二検出電極１２４の末端と、に電気的に接続させて、外部の電気信号を前記第一導電性フィルム１１０における第一接続リード１１６及び第一検出電極１１４の末端と、前記第二導電性フィルム２２０における第二接続リード１２５及び第二検出電極１２４の末端と、に伝達させる。
【００１７】
前記第一基板１１１及び第二基板１１２は、ポリエチレン（ＰＥ）、ポリカーボネート（ＰＣ）、ポリエチレンテレフタレート（ＰＥＴ）、ポリメタクリル酸メチル（ＰＭＭＡ）或いは薄膜化されたガラスのような透明材料からなる。前記リング形接着層１３０、第一接着層１１２及び第二接着層１２２は、熱硬化接着剤或いはＵＶ硬化接着剤からなる。
【００１８】
特許文献３（カーボンナノチューブフィルムの製造装置及びカーボンナノチューブフィルムの製造方法）には、導電性を有するカーボンナノチューブフィルムの製造方法が開示されており、引張方式によって超整列のカーボンナノチューブアレイ（Ｓｕｐｅｒ  Ｖｅｒｔｉｃａｌ−Ａｌｉｇｎｅｄ  Ｃａｒｂｏｎ  Ｎａｎｏｔｕｂｅ  Ａｒｒａｙ）から透明導電性フィルムの製造に用いられるカーボンナノチューブフィルムを得る。
【００１９】
タッチパネルの信頼性を向上し、タッチパネル枠の幅を低減するために、前記第一導電層１１３及び第二導電層１２３は、上述した方法によって形成されるカーボンナノチューブフィルムからなる。引張工程によって、前記カーボンナノチューブフィルムの複数のカーボンナノチューブは引張方向に沿って基本的に平行に配列され、前記導電層の引張方向に沿う抵抗は小さく、前記導電層の引張方向に直交する方向に沿う抵抗は、前記導電層の引張方向に沿う抵抗の５０〜３５０倍であり、異なる測定位置及び測定方向によって、導電層の表面抵抗は１ＫΩ／□〜８００ＫΩ／□である。従って、本発明における第一導電層１１３及び第二導電層１２３は、抵抗異方性（又は導電異方性、Ａｎｉｓｏｔｒｏｐｉｃ  Ｃｏｎｄｕｃｔｉｖｉｔｙ)を有する。
【００２０】
図１に示したように、前記第一導電層１１３は、主要導電方向Ｐ１（導電フィルムの引張方向）を有し、前記第二導電層１２３は、前記第一導電層１１３の主要導電方向Ｐ１に直交する主要導電方向Ｐ２を有する。前記第一導電層１１３において、前記主要導電方向Ｐ１に直交する方向の抵抗は、前記主要導電方向Ｐ１の抵抗の１００〜２００倍であり、前記第二導電層２２３において、前記主要導電方向Ｐ２に直交する方向の抵抗は、前記主要導電方向Ｐ２の抵抗の１００〜２００倍である。
【００２１】
簡単に説明するために、本発明に係るタッチパネルの操作において、２つのタッチ点のみを含む場合に対して説明する。しかし、本発明に係るタッチパネル１００の多点タッチの識別方法は、より多いタッチ点の場合にも適用される。
【００２２】
図２は、本発明に係るタッチパネル１００の多点タッチの識別方法において、タッチパネル１００の２つの箇所をタッチした時、Ｘ軸側の検出電極が測定した電圧分布を示す図である。ここで、Ｘｎ−１〜Ｘｍ＋１は、第一検出電極１１４に対応するＸ軸の座標であり、Ｖｎ−１〜Ｖｍ＋１は、対応する第一検出電極１１４が測定した電圧であり、Ｐｘは、互いに隣り合う２つの第一検出電極１１４の間の間隔である。
【００２３】
図１及び図２を参照すると、前記タッチパネル１００が検出を進行しなかった場合、各々の第一検出電極１１４に第一電圧Ｖ１が提供されて、前記第一導電層１１３は等電位状態になり、各々の第二検出電極１２４に第二電圧Ｖ２が提供されて、前記第二導電層１２３も等電位状態になる。前記第二電圧Ｖ２は、前記第一電圧Ｖ１より大きい。
【００２４】
前記タッチパネル１００が検出を進行する場合、まず、Ｘ軸を測定する。即ち、各々の第一検出電極１１４が順番に電圧を測定する。次に、Ｙ軸を測定する。即ち、各々の第二検出電極１２４が順番に電圧を測定する。このような動作を繰り返して、ユーザによるタッチ動作を検出する。前記タッチパネル１００がタッチされない場合、各々の第一検出電極１１４が測定した電圧は全て第一電圧Ｖ１であり、各々の第二検出電極１２４が測定した電圧は全て第二電圧Ｖ２である。
【００２５】
各々の第一検出電極１１４が順番に電圧を測定する過程において、測定を進行しない第一検出電極１１４に続いて第一電圧Ｖ１を提供し、各々の第二検出電極１２４が順番に電圧を測定する過程において、測定を進行しない第二検出電極１２４に続いて第二電圧Ｖ２を提供することにより、信号の識別度を向上させる。
【００２６】
前記タッチパネル１００の少なくとも２個の箇所がタッチされて、前記第二導電層１２３が前記第一導電層１１３に電気的に接続される場合、上述した説明によって、各々の第一検出電極１１４が測定た電圧から第一Ｘ軸高電圧Ｖｎ、第二Ｘ軸高電圧Ｖｍ及び前記第一Ｘ軸高電圧Ｖｎと前記第二Ｘ軸高電圧Ｖｍとの間に位置するＸ軸低電圧Ｖ１を決定することができ、前記第１Ｘ軸高電圧Ｖｎを測定した第一検出電極１１４のＸ軸座標はＸｎであり、前記第二Ｘ軸高電圧Ｖｍを測定した第一検出電極１１４のＸ軸座標はＸｍである。
【００２７】
前記第一Ｘ軸高電圧Ｖｎに対応する位置を第一Ｘ軸タッチ点と見なし、前記第二Ｘ軸高電圧Ｖｍに対応する位置を第二Ｘ軸タッチ点と見なし、以下の式１及び式２によって、前記第一Ｘ軸タッチ点の実際のＸ軸座標値Ｘ１及び前記第二Ｘ軸タッチ点の実際のＸ軸座標値Ｘ２を計算する。
【００２８】
【数１】
2011018335.tif 000003
【００２９】
ここで、ｎ≧２であり、Ｖｎ−１は、第ｎ−１番目の第一検出電極１１４が測定した電圧であり、Ｖｎ＋１は、第ｎ＋１番目の第一検出電極１１４が測定した電圧である。
【００３０】
【数２】
2011018335.tif 000004
【００３１】
ここで、ｍ≧ｎ＋３であり、Ｖｍ−１は、第ｍ−１番目の第一検出電極１１４が測定した電圧であり、Ｖｍ＋１は、第ｍ＋１番目の第一検出電極１１４が測定した電圧である。
【００３２】
図３は、本発明に係るタッチパネルの多点タッチの識別方法における２つのタッチ点がＸ軸方向で非常に近い時、Ｘ軸側の検出電極が測定した電圧分布を示す図である。
【００３３】
前記タッチパネル１００の第一導電層１１３及び第二導電層１２３は、互いに平行するカーボンナノチューブからなる導電性フィルムであるため、抵抗異方性を有する。従って、前記タッチパネル１００の２つのタッチ点がＸ軸方向で非常に近い時、前記第一Ｘ軸高電圧Ｖｎと前記第二Ｘ軸高電圧Ｖｍとの間に位置するＸ軸低電圧Ｖｎ＋１は、左右両側のＸ軸高電圧Ｖｎ、Ｖｍの作用の二重結合（Ｖｎ＋１’＋Ｖｍ−１’）である。ｍ＝ｎ＋２である時、前記式１のＶｎ＋１及び前記式２のＶｍ−１をそれぞれＶｎ＋１’及びＶｍ−１’で置き換えて、下の式でＸ軸座標を計算する。
即ち、
【００３４】
【数３】
2011018335.tif 000005
【００３５】
ここで、Ｖｎ＋１’は、Ｖｎに正比例すると共に（Ｖｎ−Ｖｎ−１）に正比例し、Ｖｍ−１’は、Ｖｍに正比例すると共に（Ｖｍ−Ｖｍ＋１）に正比例する。
【００３６】
図４は、本発明に係るタッチパネルの多点タッチの識別方法において、タッチパネルの２個の箇所をタッチした時、Ｙ軸側の検出電極が測定した電圧分布を示す図である。
【００３７】
図１及び図４を参照すると、上述したＸ軸座標を測定してから、続いて各々の第二検出電極１２４が測定した電圧から第一Ｙ軸低電圧Ｖｓ、第二Ｙ軸低電圧Ｖｔ及び前記第一Ｙ軸低電圧Ｖｓと前記第二Ｙ軸低電圧Ｖｔとの間に位置するＹ軸高電圧Ｖ２を決定することができ、前記第一Ｙ軸低電圧Ｖｓを測定した第二検出電極１２４に対応するＹ軸座標はＹｓであり、前記第二Ｙ軸低電圧Ｖｔを測定した第二検出電極１２４に対応するＹ軸座標はＹｔである。
【００３８】
前記第一Ｙ軸低電圧Ｖｓに対応する位置を第一Ｙ軸タッチ点と見なし、前記第二Ｙ軸低電圧Ｖｔに対応する位置を第二Ｙ軸タッチ点と見なし、下の式３及び式４によって、前記第一Ｙ軸タッチ点の実際のＹ軸座標値Ｙ１及び前記第二Ｙ軸タッチ点の実際のＹ軸座標値Ｙ２を計算する。
【００３９】
【数４】
2011018335.tif 000006
【００４０】
ここで、ｓ≧２であり、Ｖｓ−１は、第ｓ−１番目の第二検出電極１２４が測定した電圧であり、Ｖｓ＋１は、第ｓ＋１番目の第二検出電極１２４が測定した電圧である。
【００４１】
【数５】
2011018335.tif 000007
【００４２】
ここで、ｔ≧ｓ＋３であり、Ｖｔ−１は、第ｔ−１番目の第二検出電極１２４が測定した電圧であり、Ｖｔ＋１は、第ｔ＋１番目の第二検出電極１２４が測定した電圧である。
【００４３】
図５は、本発明に係るタッチパネルの多点タッチの識別方法における２つのタッチ点がＹ軸方向で非常に近い時、Ｙ軸側の検出電極が測定した電圧分布を示す図である。
【００４４】
前記タッチパネル１００の第一導電層１１３及び第二導電層１２３は、互いに平行するカーボンナノチューブからなる導電性フィルムであるため、抵抗異方性を有する。従って、前記タッチパネル１００の２つのタッチ点がＹ軸方向で非常に近い時、前記第一Ｙ軸低電圧Ｖｓと前記第二Ｙ軸低電圧Ｖｔとの間に位置するＹ軸高電圧Ｖｓ＋１は左右両側のＹ軸低電圧Ｖｓ、Ｖｔの作用の二重結合（Ｖ２−Ｖｓ＋１’−Ｖｔ−１’）である。ｔ＝ｓ＋２である時、前記式３中のＶｓ＋１及び前記式４中のＶｔ−１をそれぞれＶｓ＋１’及びＶｔ−１’で置き換えて、下の式でＹ軸座標を計算する。
即ち、
【００４５】
【数６】
2011018335.tif 000008
【００４６】
ここで、Ｖｓ＋１’は、Ｖｓに正比例すると共に（Ｖｓ−１−Ｖｓ）に正比例し、Ｖｔ−１’は、Ｖｔに正比例すると共に（Ｖｔ＋１−Ｖｔ）に正比例する。
【００４７】
上述した内容から分かるように、本発明に係るタッチパネルに用いられる多点タッチの識別方法で２つのタッチ点のＸ座標とＹ座標を獲得することができて、複数点のタッチ制御を実現することができる。
【００４８】
図６〜図８は、本発明に係るタッチパネルの多点タッチの識別方法で異なる操作の手姿勢を識別することを示す図である。簡単に説明するために、図６〜図８では２つのタッチ点を操作する場合のみを例とするが、実際的に２つ点以上の操作にも適用される。
【００４９】
図６に示したように、第一スキャン周期で、獲得した第一タッチ点のＸ軸座標Ｘ１、第二タッチ点のＸ軸座標Ｘ２、第一タッチ点のＹ軸座標Ｙ１及び第二タッチ点のＹ軸座標Ｙ２によって、対角がそれぞれ第一タッチ点Ａ（Ｘ１、Ｙ１）及び第二タッチ点Ｂ（Ｘ２、Ｙ２）の矩形を得、次のスキャン周期で、獲得した第一タッチ点Ａの座標は、Ａ’（Ｘ１’、Ｙ１’）に変化し、獲得した第二タッチ点Ｂの座標は、Ｂ’（Ｘ２’、Ｙ２’）に変化すれば、前記点Ａ’及び点Ｂ’による対角線を有する矩形の面積は、前記第一スキャン周期での矩形の面積より大きいため、この動作を多点タッチの「拡大機能」に設定する。逆に、次のスキャン周期での点Ａ’及び点Ｂ’による対角線を有する矩形の面積が、前の第一スキャン周期での点Ａ及び点Ｂによる対角線を有する矩形の面積より小さくなる場合、この動作を多点タッチの「縮小機能」に設定する。
【００５０】
図７に示したように、次のスキャン周期での点Ａ’及び点Ｂ’による対角線有する矩形の面積と、前記第一スキャン周期での点Ａ及び点Ｂによる対角線を有する矩形の面積とがほぼ等しいが、点Ａ及び点Ｂがそれぞれ点Ａ’及び点Ｂ’に平行的に移動するため、この動作を多点タッチの「平行移動機能」又は「頁切替え機能」と設定する。
【００５１】
図８に示したように、次のスキャン周期での点Ａ’及び点Ｂ’による対角線を有する矩形の面積と前のスキャン周期での点Ａ及び点Ｂによる対角線を有する矩形の面積とがほぼ等しいが、点Ａ及び点Ｂが点Ａ’及びＢ’に斜めに移動して、前記矩形を時針の回り方向に沿って回転させるため、この動作を多点タッチの「回転機能」と設定する。
【００５２】
本発明は、構造及び駆動が簡単であり、低コストの抵抗式タッチパネルを提供し、前記タッチパネルは、簡単な計算を通じて複数のタッチ点の判別及び各種手姿勢で複数点のタッチ操作を行うことができて、タッチパネルの応用範囲を大幅に拡大することができる。
【００５３】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００５４】
１００  タッチパネル
１１０  導電性フィルム
１１１  第一基板
１１２  第一接着層
１１３  第一導電層
１１４  第一検出電極
１１５  第一電極
１１６  第一接続リード
１２０  導電性フィルム
１２１  第二基板
１２２  第二接着層
１２３  第二導電層
１２４  第二検出電極
１２５  第二接続リード
１２６  第二電極
１３０  リング形接着層
１３１  欠口部
１３２  絶縁素子
１４０  フレキシブルプリント回路板
１４１  金属接点
【図１】
2011018335.tif 000018
【図２】
2011018335.tif 000019
【図３】
2011018335.tif 000020
【図４】
2011018335.tif 000021
【図５】
2011018335.tif 000022
【図６】
2011018335.tif 000023
【図７】
2011018335.tif 000024
【図８】
2011018335.tif 000025